(57)【要約】【課題】液体供給装置が機器本体内に格納された状態では液体供給装置の補給口が開くことのないようにする。【解決手段】液体供給装置は、機器本体の内部に格納し、上記機器の動作に応じて液体を上記機器本体に供給するための液体供給装置であって、上記液体を補給するための補給口４４を有するタンク部１２と、上記補給口４４を開けるためのボタン５０５と、上記液体供給装置が上記機器本体の内部に格納された状態ではボタン５０５が押圧されたとしても補給口４４を開けることを防止する開動作防止手段としてのストッパ部５２１とを備える。液体供給装置が筐体１内に収まっている場合には、ストッパ部５２１が段差１３に当接することで、補給口キャップ３０１による補給口４４の閉鎖を解除するための作用部５２２の変位が防止される。【選択図】　　　　図３
2004044987.tif 000002
【特許請求の範囲】
【請求項１】
機器本体の内部に格納し、前記機器の動作に応じて液体を前記機器本体に供給するための液体供給装置であって、
前記液体を補給するための補給口を有するタンク部と、
前記補給口を開けるためのボタンと、
前記液体供給装置が前記機器本体の内部に格納された状態では前記ボタンが押圧されたとしても前記補給口を開けることを防止する開動作防止手段とを備える、液体供給装置。
【請求項２】
前記補給口を塞ぐための補給口キャップと、
変位することによって補給口キャップによる前記補給口の閉鎖を解除するための作用部とを備え、
前記開動作防止手段は、前記液体供給装置が前記機器本体の内部に格納されている状態での前記作用部の変位を防ぐストッパ部を含む、請求項１に記載の液体供給装置。
【請求項３】
前記ボタンと、前記作用部と、前記ストッパ部とは一体的に形成されている、請求項２に記載の液体供給装置。
【請求項４】
前記ボタンは、前記液体供給装置を前記機器本体の内部に格納したときに上側に露出するように配置されている、請求項１に記載の液体供給装置。
【請求項５】
前記補給口の上方に配置された補給口外蓋と、
前記補給口キャップを支持するキャップ支持部材とを備え、
前記補給口外蓋は、内部に前記キャップ支持部材を収納し、前記ボタンを上面に露出させた状態で支持している、請求項１に記載の液体供給装置。
【請求項６】
前記補給口外蓋および前記キャップ支持部材は、１ヶ所の係合部で互いに係止した状態で、１本のねじで螺合されることによって、互いに一体的に固定されている、請求項５に記載の液体供給装置。
【請求項７】
前記補給口外蓋は前記ねじを通すための第１貫通孔を有する樹脂板部を含み、前記キャップ支持部材は前記ねじを通すための第２貫通孔を有する金属板部を含み、前記金属板部は、前記第２貫通孔の周りに前記ねじの長手方向に沿って円柱状に延在するガイド管部を備える、請求項６に記載の液体供給装置。
【請求項８】
前記金属板部の表面から前記ガイド管部が突出する長さより、前記樹脂板部の厚みの方が大きくなっている、請求項７に記載の液体供給装置。
【請求項９】
請求項１から８のいずれかに記載の液体供給装置を備える、液体燃料燃焼装置。
【発明の詳細な説明】
【０００１】
【発明の属する技術分野】
本発明は、石油ファンヒータや石油ストーブなどの液体燃料燃焼装置に関するものである。さらに、液体燃料燃焼装置や加湿器などのように液体を用いて動作する装置に搭載される、液体供給装置に関するものである。
【０００２】
【従来の技術】
図１１を参照して、従来の液体燃料燃焼装置の一例としての石油ファンヒータの外観について説明する。この石油ファンヒータにおいては、燃焼部や液体供給装置は、筐体１に収納されている。なお、液体供給装置という概念には、ひとまとまりの装置として取り扱われる、いわゆる「燃料タンク」が含まれる。
【０００３】
図１１に示すように、筐体１の下部には、室内に温風を吹出す吹出口２が形成されている。筐体１の上面を塞ぐ上板８には、運転状態を切換えるスイッチ類が収まった操作部３が配置されている。上板８の一角には、開口部があり、この開口部を通じて筐体１の内部に液体供給装置が格納されている。したがって、液体供給装置の一部であるタンク部上板４００が露出している。タンク部上板４００には取っ手４０１が含まれており、使用者が液体供給装置を機器本体内に設置したり、機器本体内から取り出したりする際にはこの取っ手４０１を起こして持つことによって液体供給装置を持ち上げる。
【０００４】
この液体供給装置１００だけを筐体１から取り出した状態を図１２に示す。この液体供給装置１００は、タンク部１２の上側にタンク部上板４００を備える。タンク部４００には補給口４４があり、補給口４４の上方に当たる位置にはタンク部上板４００と連続な面をなすように補給口外蓋４０２を備える。補給口４４近傍の断面図を図１３に示す。図１２、図１３は、補給口４４、補給口外蓋４０２とも閉まっている状態を示す。
【０００５】
図１３に示すように、タンク部１２の上部に斜めに設けられた補給口設置面３００の中央に補給口４４が配置されており、補給口設置面３００上には、補給口４４の脇の一方に軸３０８が固定保持されている。軸３０８を中心として回動自在に、可動部３３０が支持されている。可動部３３０は、補給口キャップベース３０６と補給口キャップフレーム３０７とを含む。可動部３３０の上側には、補給口外蓋４０２が固定されている。軸３０８の周りには付勢手段としてスプリング３１２が設けられており、可動部３３０は、スプリング３１２によって補給口設置面３００との間でなす角度が大きくなる向きに付勢されている。
【０００６】
可動部３３０の先端部には、可動部係止部３０４が取り付けられている。可動部係止部３０４には、可動部係止レバー３０２と、係止レバースプリング３０３とが含まれる。可動部係止レバー３０２は、可動部３３０の先端部に固定された軸３１１を回転軸に回動自在に支持されており、係止レバースプリング３０３によって先端が補給口４４に接近する向き（図１３における時計回り）に付勢されている。可動部係止レバー３０２は、先端に鉤状部３１０を有する。一方、丸棒であるバー３０９は、補給口設置面３００から浮かせて保持されている。補給口キャップ３０１が補給口４４を塞ぐときには、可動部係止レバー３０２は、バー３０９を鉤状部３１０に係合させることによって、スプリング３１２の付勢に抗して姿勢を保持することができる。補給口外蓋４０２は、可動部３３０の上面を覆うのみならず、外縁部において下方に向けて板状部材として延在するように一体成形されており、下方に向けて延在する部分は可動部係止部３０４を側方から覆っている。
【０００７】
可動部３３０の上側にはボタン３０５が配置されている。液体供給装置１００を筐体１内から取り出した状態では、図１２、図１３に示すように、ボタン３０５は、補給口外蓋４０２に設けられたボタン操作用開口部３１６から露出している。使用者がボタン３０５を指で押し下げることによって、可動部係止レバー３０２は、ボタン３０５に押されて、軸３１１の周りに、係止レバースプリング３０３の付勢に抗して鉤状部３１０をバー３０９から離す向き（図４における反時計回り）に回転する。その結果、鉤状部３１０のバー３０９に対する係止が解除され、可動部３３０は、スプリング３１２の付勢によって軸３０８の周りに回転し、補給口キャップ３０１は、補給口４４から離される。可動部３３０が回転することによって、可動部３３０に対して固定されている補給口外蓋４０２も開く。こうして、補給口４４と補給口外蓋４０２とが同時に開く。補給口４４と補給口外蓋４０２とが開いた状態を、図１４に示す。
【０００８】
【発明が解決しようとする課題】
この液体供給装置１００では、補給口４４を開くためのボタン３０５が補給口外蓋４０２の陰に配置されていた。一方、使用者が燃料を補給するために液体供給装置１００を機器本体の筐体１内から取り出したときには、使用者は液体供給装置１００を上から見下ろす形となる場合が多い。また、使用者が液体供給装置を取り扱うときに使用者の体がどちら側にくるかという観点で考えると、機器本体の正面側となる側でもあり、なおかつ、取っ手４０１がタンク部上板４００の凹部に収納されている状態で取っ手４０１の先端が向いている側でもある、図１２における左側に使用者の体が位置する可能性が高い。そのため、慣れない使用者にとって補給口外蓋４０２は視界に入るもののボタン３０５は補給口外蓋４０２の陰に隠れて見つけにくく、補給口の開け方がわかりにくいという問題があった。
【０００９】
また、ボタン３０５は、図１３に示すように液体供給装置の上部において斜めを向いて配置されていたため、なおかつ、使用者は矢印６１で示すように側方から指を差し入れてこのボタン３０５を斜め下方に押す必要があったため、往々にしてボタン３０５を押す際に側方に押す力が作用することとなる。そのため、タンク部１２内の液体の残量が少ない場合や、液体供給装置そのものがスリムな形状である場合には、液体供給装置全体が転倒するおそれがあった。
【００１０】
液体供給装置は、機器本体の筐体内に格納されている状態では、誤って補給口が開いてしまうことはあってはならない。液体が燃料である場合には危険だからである。
【００１１】
そこで、本発明は、基本的には、機器本体内に格納された状態では補給口が開くことのない安全な液体供給装置を提供することを目的とする。さらに、この液体供給装置を備える液体燃料燃焼装置を提供することを目的とする。なお、より望ましくは、慣れない使用者にとっても補給口の開け方がわかりやすく、補給口を開けるための操作によって転倒するおそれがない液体供給装置および液体燃料燃焼装置を提供することを目的とする。
【００１２】
【課題を解決するための手段】
上記目的を達成するため、本発明に基づく液体供給装置は、機器本体の内部に格納し、上記機器の動作に応じて液体を上記機器本体に供給するための液体供給装置であって、上記液体を補給するための補給口を有するタンク部と、上記補給口を開けるためのボタンと、上記液体供給装置が上記機器本体の内部に格納された状態では上記ボタンが押圧されたとしても上記補給口を開けることを防止する開動作防止手段とを備える。この構成を採用することにより、開動作防止手段を備えているので、機器本体の内部に格納された状態では、たとえ誤ってボタンが押圧されたとしても補給口が開いてしまうことを防止でき、安全な液体供給装置とすることができる。
【００１３】
上記発明において好ましくは、上記補給口を塞ぐための補給口キャップと、変位することによって補給口キャップによる上記補給口の閉鎖を解除するための作用部とを備え、上記開動作防止手段は、上記液体供給装置が上記機器本体の内部に格納されている状態での上記作用部の変位を防ぐストッパ部を含む。この構成を採用することにより、機器本体の内部に格納された状態で補給口が開いてしまうことを、各部材の機械的連係により確実に防止できる。
【００１４】
上記発明において好ましくは、上記ボタンと、上記作用部と、上記ストッパ部とは一体的に形成されている。この構成を採用することにより、部品点数を少なく抑えることができ、組立が容易となる。
【００１５】
上記発明において好ましくは、上記ボタンは、上記液体供給装置を上記機器本体の内部に格納したときに上側に露出するように配置されている。この構成を採用することにより、補給口を開けるためのボタンが上面に露出するように配置されているので、慣れない使用者にとってもボタンが見つけやすく、補給口の開け方がわかりやすいものとなる。
【００１６】
上記発明において好ましくは、上記補給口の上方に配置された補給口外蓋と、上記補給口キャップを支持するキャップ支持部材とを備え、上記補給口外蓋は、内部に上記キャップ支持部材を収納し、上記ボタンを上面に露出させた状態で支持している。この構成を採用することにより、補給口キャップなどを補給口外蓋の内部に収め、必要なボタンだけを露出させた構造とすることができ、見た目をすっきりさせ、ボタンの位置をわかりやすくすることができる。
【００１７】
上記発明において好ましくは、上記補給口外蓋および上記キャップ支持部材は、１ヶ所の係合部で互いに係止した状態で、１本のねじで螺合されることによって、互いに一体的に固定されている。この構成を採用することにより、組立の際にはねじを１ヶ所締めるだけでよく、作業が簡単となり、必要な部品点数も少なくすることができる。
【００１８】
上記発明において好ましくは、上記補給口外蓋は上記ねじを通すための第１貫通孔を有する樹脂板部を含み、上記キャップ支持部材は上記ねじを通すための第２貫通孔を有する金属板部を含み、上記金属板部は、上記第２貫通孔の周りに上記ねじの長手方向に沿って円柱状に延在するガイド管部を備える。この構成を採用することにより、金属板部のガイド管部を樹脂板部の第１貫通孔に嵌合させることによって、ねじを通す前であっても仮の組立状態が維持できるので、組立工程において取扱いが容易となる。
【００１９】
上記発明において好ましくは、上記金属板部の表面から上記ガイド管部が突出する長さより、上記樹脂板部の厚みの方が大きくなっている。この構成を採用することにより、樹脂板部がねじの頭と金属板部とに挟まれて圧縮変形する程度に締め付けられるので、補給口外蓋とキャップ支持部材との間を十分堅固に固定することができる。
【００２０】
上記目的を達成するため、本発明に基づく液体燃料燃焼装置は、上述のいずれかの液体供給装置を備える。この構成を採用することにより、液体供給装置を機器本体の内部に格納した状態では、たとえ誤ってボタンを押圧しても補給口が開いてしまうことのない安全な液体燃料燃焼装置とすることができる。
【００２１】
【発明の実施の形態】
（実施の形態１）
（液体供給装置の構成）
図１〜図９を参照して、本発明に基づく実施の形態１における液体供給装置について説明する。この液体供給装置２００の外観を図１、図２に示す。図１は、補給口外蓋６０２が閉まっている状態を示し、図２は、補給口外蓋６０２が開くことにより補給口４４が開いている状態を示す。図１では、補給口４４は補給口外蓋６０２の下に隠れて見えていないが閉まっている。
【００２２】
この液体供給装置２００は、内部に液体を保持するためのタンク部１２の上部に樹脂で形成されたタンク部上板６００が取り付けられており、タンク部上板６００には、取っ手６０１を収納する凹部が設けられて取っ手６０１がこの凹部に収まっている。取っ手６０１は、タンク部上板６００から引き起こすことができるようになっている。
【００２３】
補給口外蓋６０２は樹脂で形成されており、その上面は、補給口外蓋６０２を閉じた状態では図１に示すようにタンク部上板６００と連続した面を形成するようになっている。補給口外蓋６０２の上面には、補給口４４を開けるためのボタン５０５が配置されている。
【００２４】
補給口４４の近傍の断面図を、図３に示す。図３は、補給口４４、補給口外蓋６０２とも閉じている状態を示す。タンク部１２の上部に斜めに設けられた補給口設置面３００の中央に補給口４４が配置されている。補給口設置面３００上には、補給口４４を取り囲むように、金属板で一体形成された補給口キャップダイ５１３が固定されている。補給口キャップダイ５１３は、その一端に軸３０８を固定保持しており、軸３０８を回転軸として回動自在に、補給口キャップベース５０６が支持されている。補給口キャップベース５０６の上側には、補給口外蓋６０２が固定されている。補給口キャップベース５０６と補給口外蓋６０２との間の固定方法について詳しくは後述する。
【００２５】
軸３０８の周りには付勢手段としてスプリング５１２が設けられており、補給口キャップベース５０６は、スプリング５１２によって補給口キャップダイ５１３との間でなす角度が大きくなる向きに付勢されている。補給口キャップベース５０６の下側には、キャップスプリング３１４を介して補給口キャップ３０１が接続されている。キャップスプリング３１４は、補給口キャップ３０１を補給口設置面３００に向けて付勢するように配置されている。補給口キャップ３０１は、下側にパッキンを有し、補給口キャップベース５０６が補給口設置面３００となす角度がほぼ０になったときに補給口４４を塞ぐように保持されている。
【００２６】
補給口キャップベース５０６の先端近傍には、可動部係止部５０４が取り付けられている。可動部係止部５０４には、可動部係止レバー５０２と、係止レバースプリング５０３とが含まれる。可動部係止レバー５０２は、途中で折れ曲がった「く」の字形をしており、折れ曲がる点近傍で補給口キャップベース５０６に当接しており、この当接する点を支点として回動可能なように保持されている。可動部係止レバー５０２は、係止レバースプリング５０３によって先端が補給口４４に接近する向き（図３における時計回り）に付勢されている。可動部係止レバー５０２は、先端に鉤状部３１０を有する。一方、補給口キャップダイ５１３は、バー３０９を、補給口設置面３００から浮かせて保持している。補給口キャップ３０１が補給口４４を塞ぐときには、補給口キャップベース５０６は、バー３０９を可動部係止レバー５０２の鉤状部３１０に係合させることによって、スプリング５１２の付勢に抗して姿勢を保持することができる。補給口キャップベース５０６や可動部係止部５０４は、補給口外蓋６０２から下方に向けて延在する樹脂製の係止部カバー５１５によって側方から覆い隠されている。
【００２７】
補給口外蓋６０２には円形の穴があいており、この穴からボタン５０５が露出している。このボタン５０５は、一体化部材５２３の一部である。一体化部材５２３は、図４（ａ）〜（ｅ）に示す形状をしており、樹脂で一体成形された部品である。一体化部材５２３は、ボタン５０５のほかに、作用部５２２、ストッパ部５２１を含む。一体化部材５２３の一端には、貫通穴である締付穴５３２が設けられている。一体化部材５２３は、締付穴５３２を利用して図３に示すように補給口外蓋６０２の裏面にねじ留めされている。ただし、ストッパ部５２１が係止部カバー５１５の開口部５２４を介して外側に突出している。
【００２８】
図４（ｂ），（ｅ）に示すように一体化部材５２３の途中にはくびれ部５３３が設けられており、ボタン５０５が押圧されたときには主にくびれ部５３３で曲げ変形を生じるようになっている。
【００２９】
（動作）
図３の状態（ただし、液体供給装置２００を筐体１の外へ取り出した状態）でボタン５０５が矢印６２の向きに押圧されると、一体化部材５２３は図５に示すように変形する。この場合、図５に示されるように、作用部５２２が可動部係止レバー５０２の上部に当接する。作用部５２２は主に下方に向かって変位するが、可動部係止レバー５０２の上部は、斜めになっているので作用部５２２に押されることで図中左側に変位する。この変位は、係止レバースプリング５０３の付勢に抗して行なわれる。可動部係止レバー５０２の上部が図中左側に変位させられることによって、可動部係止レバー５０２は図中反時計回りに回転するので、鉤状部３１０は図中右向きに変位する。その結果、図５に示すように鉤状部３１０のバー３０９に対する係止が解除され、補給口キャップベース５０６は、スプリング５１２の付勢によって軸３０８の周りに回転し、補給口キャップ３０１は、補給口４４から離される。補給口キャップベース５０６が回転することによって、補給口キャップベース５０６に対して固定されている補給口外蓋６０２も連動して開く。こうして、図６に示すように補給口４４と補給口外蓋６０２とが同時に開く。この状態での液体供給装置の外観は、既に図２に示したとおりである。
【００３０】
（作用・効果）
この液体供給装置は、補給口４４を開けるためのボタン５０５が上面に露出するように配置されているので、慣れない使用者にとってもボタンが見つけやすく、補給口の開け方がわかりやすいものとなる。
【００３１】
また、ボタン５０５は、一体化部材５２３として作用部５２２などとともに一体成形されているので、部品点数を少なく抑えることができ、組立が容易となる。一体化部材５２３には、開動作防止手段としてのストッパ部５２１が含まれており、一体化部材５２３を補給口外蓋６０２に取り付けた状態ではストッパ部５２１が外側に突出しているので、図３に示すように、機器本体の筐体１のうち、このストッパ部５２１を受け止めるような位置に段差１３を設けておけば、筐体１内にある状態ではストッパ部５２１が下方に変位することを防止できる。したがって、一体化部材５２３が図５に示すように変位することもないので、補給口４４が開くことはない。このように、筐体１内に格納された状態では、たとえ誤ってボタン５０５が押されても補給口４４が開いてしまう事態を未然に防止することができ、安全を確保することができる。
【００３２】
この液体供給装置では、ボタン５０５が補給口外蓋６０２の上側に露出しているので、補給口４４を開けるためにはボタン５５０を矢印６２の向きに押せばよい。すなわち、鉛直真下に向けて押せばよいので、従来の液体供給装置１００のように、ボタンを押す際に側方に押す力が作用することもない。したがって、ボタンを押すことによって液体供給装置全体が転倒する事態も防止することができる。
【００３３】
（補給口キャップベースと補給口外蓋との接続）
本実施の形態における液体供給装置２００のうち、補給口キャップベース５０６を含む一部の部品のみを取り出したところを図７に示す。補給口キャップベース５０６は、金属板を所定の形状に打抜いて、折り曲げることによって製作されている。以下、補給口キャップベース５０６のうち軸３０８が通る側を根元側（図中左上側）、その反対側を先端側（図中右下側）として説明する。補給口キャップベース５０６は、平行に配置された２つの側板部を含み、２つの側板部は、根元側において板状部５２６によって結ばれている。先端側においては、斜めに配置された板状部５１７が２つの側板部を結んだ構造となっている。板状部５１７にはねじ穴５３１が設けられている。
【００３４】
一方、補給口外蓋６０２およびこれに取り付けられた一体化部材５２３を取り出し、裏側を手前に向けたところを図８に示す。補給口外蓋６０２の裏側には、一体化部材５２３がねじ留めされているほか、爪５２５が設けられている。爪５２５は、補給口外蓋６０２に一体的に成形されている。
【００３５】
図３を参照して既に説明したように、補給口キャップベース５０６の上側には補給口外蓋６０２が固定される。補給口キャップベース５０６に対して補給口外蓋６０２を固定する際には、図３に示すように板状部５２６に爪５２５を掛け、補給口キャップベース５０６を係止部カバー５１５の内部に嵌め込む。そうすると、板状部５１７と係止部カバー５１５とが自ずと重なり合い、板状部５１７のねじ穴５３１と係止部カバー５１５の穴５３４とが重なり合う。ねじ穴５３１および穴５３４を貫通させてねじ５１８を締める。これで、補給口キャップベース５０６と補給口外蓋６０２との間は完全に固定することができる。
【００３６】
補給口キャップベース５０６と補給口外蓋６０２との間の固定は、このような構造によって行なっているので、ねじを１ヶ所締めるだけでよく、作業が簡単であり、必要な部品点数も少なくすることができる。
【００３７】
（ねじ穴）
板状部５１７と係止部カバー５１５とが重なり合ってねじ５１８によって締められた状態の部分断面図を図９に示す。板状部５１７は金属板であり、係止部カバー５１５は樹脂製の部品である。板状部５１７のねじ穴５３１の周りには、ガイド管部５３５がねじ５１８の長手方向に沿って円柱状に延在している。ねじ穴５３１の内面にはねじ溝があり、ねじ５１８のねじ溝と噛み合っている。さらに、板状部５１７の厚みにガイド管部５３５が突出する分を含めた厚みｔ１よりも、板状部５１７の厚みに係止部カバー５１５の厚みを加えたｔ２の方が大きくなっている。すなわち、板状部５１７の表面からガイド管部５３５が突出する長さより係止部カバー５１５の厚みの方が大きくなっている。
【００３８】
この液体供給装置では、ｔ１＜ｔ２の状態でねじ５１８を締めているので、係止部カバー５１５のうち、穴５３４の周りの部分はねじ５１８の頭と板状部５１７とに挟まれて締め付けられ、若干の圧縮変形を起こす。この反力によってねじ５１８の頭は図中右側に押され、ねじ５１８が緩むことが防止される。ねじ５１８の頭と板状部５１７とに挟まれることによって、係止部カバー５１５は板状部５１７に対して十分堅固に固定される。
【００３９】
また、このようにガイド管部５３５が突出していることにより、組立作業時に、ねじ５１８を通す前であっても、板状部５１７と係止部カバー５１５とを重ね合わせ、穴５３４にガイド管部５３５を一旦嵌合させれば、作業者が特に神経を使わなくとも仮の組立状態が維持できる。したがって、組立工程において取扱いが容易となる。
【００４０】
なお、本実施の形態では、開動作防止手段として一体化部材５２３の一部であるストッパ部５２１を用いたが、開動作防止手段の形態はこれに限られない。ストッパ部をボタンなどと一体形成しなくとも、別部品として形成してから組み立てるようにしてもよい。ストッパ部の形状も他の形状であってもよい。
【００４１】
（液体供給装置の各種装置への適用）
以上、説明した液体供給装置は、石油ファンヒータ、石油ストーブなどの液体燃料燃焼装置に限らず、加湿器など、液体を用いて作動する装置全般に適用可能である。
【００４２】
（実施の形態２）
（液体燃料燃焼装置の構成）
図１０を参照して、本発明に基づく実施の形態２における液体燃料燃焼装置について説明する。この液体燃焼燃焼装置は、石油ファンヒータであり、実施の形態１で説明したものと同様の液体供給装置を備えている。したがって、図１０に示すように、タンク部上板６００の中に、取っ手６０１、補給口外蓋６０２が収められている。補給口外蓋６０２の下方に位置する機構については、図には表れていないが実施の形態１で説明したものと同様である。筐体１の一部には図３に示したように段差１３が設けられている。
【００４３】
（作用・効果）
この液体燃焼燃焼装置は、補給口４４を開けるためのボタン５０５が上面に露出するように配置された液体供給装置を備えているので、液体の補給作業時には、慣れない使用者にとってもボタンが見つけやすく、補給口の開け方がわかりやすい。また、この液体燃焼燃焼装置は、液体供給装置の一部に開動作防止手段としてのストッパ部５２１を備え、筐体１に段差１３が設けられているので、液体供給装置を筐体１内に格納した状態では、たとえ誤ってボタン５０５が押されても補給口４４が開いてしまう事態を未然に防止することができる。その他、実施の形態１で説明したと同じ効果を奏することができる。
【００４４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００４５】
【発明の効果】
本発明によれば、液体供給装置は、開動作防止手段を備えているので、機器本体の内部に格納された状態では、たとえ誤ってボタンが押圧されたとしても補給口が開いてしまうことを防止でき、安全な液体供給装置とすることができる。
【図面の簡単な説明】
【図１】本発明に基づく実施の形態１における液体供給装置の、補給口外蓋を閉じた状態の斜視図である。
【図２】本発明に基づく実施の形態１における液体供給装置の、補給口外蓋を開けた状態の斜視図である。
【図３】本発明に基づく実施の形態１における液体供給装置の補給口近傍の部分断面図である。
【図４】本発明に基づく実施の形態１における液体供給装置の一体化部材の図であり、（ａ）は平面図、（ｂ）〜（ｄ）は側面図、（ｅ）は断面図である。
【図５】本発明に基づく実施の形態１における液体供給装置のボタンが押された状態での補給口近傍の部分断面図である。
【図６】本発明に基づく実施の形態１における液体供給装置の補給口が開いた状態での補給口近傍の部分断面図である。
【図７】本発明に基づく実施の形態１における液体供給装置の補給口キャップベースおよびその周辺の部品を組み立てた状態の斜視図である。
【図８】本発明に基づく実施の形態１における液体供給装置の補給口外蓋および一体化部材を組み立てた状態での裏側から見た斜視図である。
【図９】本発明に基づく実施の形態１における液体供給装置の板状部と係止部カバーとがねじによって締められた状態の部分断面図である。
【図１０】本発明に基づく実施の形態２における液体燃料燃焼装置の斜視図である。
【図１１】従来技術に基づく液体燃料燃焼装置の斜視図である。
【図１２】従来技術に基づく液体供給装置の、補給口外蓋を閉じた状態の斜視図である。
【図１３】従来技術に基づく液体供給装置の補給口近傍の部分断面図である。
【図１４】従来技術に基づく液体供給装置の、補給口外蓋を開けた状態の斜視図である。
【符号の説明】
１　筐体、２　吹出口、３　操作部、８　上板、１２　タンク部、１３　段差、４４　補給口、６１，６２　矢印、１００，１５０　液体供給装置、３００　補給口設置面、３０１　補給口キャップ、３０２，５０２　可動部係止レバー、３０３，５０３　係止レバースプリング、３０４，５０４　可動部係止部、３０５，５０５　（可動部の係止解除のための）ボタン、３０６，５０６　補給口キャップベース、３０７　補給口キャップフレーム、３０８　（可動部の）軸、３０９　（可動部係止部の）バー、３１０　鉤状部、３１１　（可動部係止レバーの）軸、３１２，５１２　（可動部の）スプリング、３１４　キャップスプリング、３１６　ボタン操作用開口部、４００，６００　タンク部上板、４０１，６０１　取っ手、４０２，６０２　補給口外蓋、５１３　補給口キャップダイ、５１５　係止部カバー、５１７　（補給口キャップベースの先端の）板状部、５１８　ねじ、５２１　ストッパ部、５２２　作用部、５２３　一体化部材、５２４（係止部カバーの）開口部、５２５　爪、５２６　（補給口キャップベースの根元の）板状部、５３１　（補給口キャップベースの先端の）ねじ穴、５３２　（一体化部材の）締付穴、５３３　（一体化部材の）くびれ部、５３４　（係止部カバーの）穴、５３５　ガイド管部。
【図１】
2004044987.tif 000003
【図２】
2004044987.tif 000004
【図３】
2004044987.tif 000005
【図４】
2004044987.tif 000006
【図５】
2004044987.tif 000007
【図６】
2004044987.tif 000008
【図７】
2004044987.tif 000009
【図８】
2004044987.tif 000010
【図９】
2004044987.tif 000011
【図１０】
2004044987.tif 000012
【図１１】
2004044987.tif 000013
【図１２】
2004044987.tif 000014
【図１３】
2004044987.tif 000015
【図１４】
2004044987.tif 000016